(57)【要約】【課題】取付対象生地の不用意な引張りがなされても、スナップホックの外れや、カシメ脚体の歪みや、係合部の変形を生じないスナップホックの提供。【解決手段】スナップホック基体とカシメ脚体とを備えるスナップホックにおいて、カシメ脚体は、円形基板の内面周縁に複数の先尖爪脚を備え、円形基板の内面中央には、前記先尖爪よりも嵩高い、先端の尖った中実若しくは中空のカシメ脚を備え、スナップホック基体は、係合部の内側に、係合部より嵩の低いカシメ脚嵌合部を形成し、取付対象生地に対する固着状態において、カシメ脚の先端がカシメ脚嵌合部内で変形して、カシメ脚がカシメ脚嵌合部内から離脱不能となり、先尖爪が取付対象生地に食込み、係合部はカシメ脚と接触しない構成のスナップホック。【選択図】  図１３
2007260321.tif 000002
【特許請求の範囲】
【請求項１】
スナップホック基体とカシメ脚体とを備えるスナップホックにおいて、
カシメ脚体は、円形基板の内面周縁に複数の先尖爪脚を備え、円形基板の内面中央には、前記先尖爪よりも嵩高い、先端の尖った中実若しくは中空のカシメ脚を備え、
スナップホック基体は、雌雄いずれかの係合部の内側に、カシメ脚嵌合部を形成し、
取付対象生地に対する固着状態において、カシメ脚の先端がカシメ脚嵌合部内で変形して、カシメ脚がカシメ脚嵌合部内から離脱不能となり、先尖爪が取付対象生地に食い込み、係合部はカシメ脚と接触しない構成となることを特徴とするスナップホック。
【請求項２】
円形基板の外面を別個独立の装飾部材で被冠したことを特徴とする請求項１記載のスナップホック。
【請求項３】
スナップホックを構成するカシメ脚体において、円形基板の内面周縁に複数の先尖爪を備え、円形基板の内面中央には、前記先尖爪よりも嵩高い、先端の尖った中実若しくは中空のカシメ脚を備えたことを特徴とするカシメ脚体。
【請求項４】
スナップホックを構成し、係合部を有するスナップホック基体において、係合部の内側にカシメ脚嵌合部を形成したことを特徴とするスナップホック基体。
【請求項５】
係合部は、雌係合部として、外縁を内側へ巻き込み、平面視円周上の複数箇所に切込部を形成したことを特徴とする請求項４記載のスナップホック基体。
【請求項６】
係合部は、雌係合部として、環状のバネを備えたことを特徴とする請求項４記載のスナップホック基体。
【発明の詳細な説明】
【技術分野】
【０００１】
本発明は、衣類やカバン、服飾品等に取着される、スナップホックと、その構成部材であるカシメ脚体及びスナップホック基体に関する。
【背景技術】
【０００２】
雄スナップホックと雌スナップホックで一組として構成されるスナップボタンは、衣類において前身ごろの前打合せ等で、二枚の生地を相互に係脱する手段の一つとして広く普及している。
【０００３】
雄スナップホックと雌スナップホックで一組として構成されるスナップボタンとしては、例えば、筒形状のカシメ脚を有し、このカシメ脚を生地等に貫通させて、貫出部をホック本体における取付部にカシメ止めることによってホック本体に結合する構成とし、当該カシメ脚の先端側部分を基端側部分よりも肉薄とし、薄肉先端側部分の側面に凹み部を設けてなるホックの装飾体（脚体）と、基体とを備える雄スナップホック（例えば、特許文献１参照。）が公知である。
【０００４】
また、スナップボタンの構成部材であるカシメ脚体としては、例えば、環体の内縁の複数の箇所から等間隔で爪を起立させてなるカシメ脚体（プロングリング）で、爪間に形成された外方および内方に斜めに降下する外縁部及び内縁部を連結する上面を、略水平な平坦部に形成することにより、上記平坦部と外縁部とのなす角度、及び前記平坦部と内縁部とのなす角度を夫々鈍角に形成したことを特徴とするものが公知である（例えば、特許文献２参照。）
【０００５】
一方、本出願人が先にした考案として、雌片の結合用孔に抑片の円筒を挿通し、この円筒の先端をかしめる金属製雌ホックにおいて、雌片の底部隅角部をなだらかな曲面とするとともに前記結合用孔の周囲を椀形内部へ隆起する盃状のテーパとし、前記抑片の円筒の先端部には、該先端部を僅かに拡開し外径が前記結合用孔の内径よりも僅かに大きくなるように剪断刃を削成したことを特徴とする金属製雌ホックが公知である（例えば、特許文献３参照。）
【０００６】
更に、合成樹脂を利用したものの例として、中央に貫通孔が形成された円形の基板と、該基板の外周部から立ち上がった周壁とを有し、かつ、前記周縁の内面上部側には、雄型部材の突起を離脱可能に嵌合する雌型の膨出部を設けたスナップファスナー用の合成樹脂製雌型部材であって、前記周壁の上部に貫通孔と同芯状の環状溝を形成するとともに、この環状溝で囲まれた雌型膨出部を含む周壁部分に、周方向適当間隔おきに切れ目を形成して、この周壁部分の切れ目相互間に、雄型部材の突起を弾性的に嵌合する突起嵌合部を構成したスナップファスナー用の合成樹脂製雌型部材（例えば、特許文献４参照。）が公知である。
【０００７】
【特許文献１】特開２００３−３１０３０９号公報
【特許文献２】平成６年実用新案公告第３７６９６号公報
【特許文献３】平成４年実用新案公告第３７４４８号公報
【特許文献４】平成７年実用新案公告第３９２４号公報
【発明の開示】
【発明が解決しようとする課題】
【０００８】
上記特許文献１に係る発明は、当該特許文献１に開示される先行技術（特許文献１の図５）の構成、即ち、所謂アメリカン脚部材のカシメ脚である三角脚で生ずる皺や、生地厚さの増加によってカシメ脚として機能しなくなる不具合を解消しようとするものである。
【０００９】
同特許文献１によれば、上記構成の雄スナップホックを取付対象生地へ取付ける際には、下穴を形成してから取付けるため、生地に皺を生じにくいこと、そして、カシメ脚の先端側部分を基端側部分よりも肉薄とし、薄肉先端側部分の側面に凹み部を設けた構成によって、弱い力でカシメ脚を潰せることで、装飾体の破損を防止する効果を得ようとするものである。
【００１０】
しかしながら、上記特許文献１に係るスナップボタンは、取付対象生地の伸縮性が高いと、取付対象生地が不用意に引っ張られることで下穴が大きく拡げられて、特許文献１における座板部から取付対象生地が外れて、スナップホック自体が外れる可能性がある。
【００１１】
また、基本的に中央でのみ強く生地を固着する構成であるので、取付対象生地が不用意に引っ張られることで、装飾体（脚体）が回転して歪みやすい欠点があった。
【００１２】
更に、特許文献１に係る雄スナップホックは、雄係合部自体が直接カシメ脚と衝突してカシメ脚を変形させるため、カシメ脚の変形の具合によっては雄係合部の一部が突出する等の不慮の変形を招来する虞があった。
【００１３】
これに加え、下穴を予め形成する必要があるため、製造工程における工数が増加し、生産効率が低下する欠点があった。
【００１４】
次に、上記特許文献２に係る考案は、上記構成によって、従前のカシメ脚の鋭いエッジによる衝撃的強圧をなくし、平坦部、鈍角部が取付対象生地（シート類）にわずかに凹入するとともに広い面積で前記取付対象生地を押圧支持し、取付対象生地の切断や皺の発生を防止する効果を得ようとするものである。しかしながら、特許文献１と同様に、雄係合部自体が直接カシメ脚（起立爪）と衝突してカシメ脚を変形させるため、カシメ脚の変形の具合によっては雄係合部の一部が突出する等の不慮の変形を招来する虞があった。
【００１５】
また、上記特許文献３に係る考案は、上記した構成によって、円筒先端部の剪断刃によって取付生地が確実に剪断されて結合用孔内に引き込まれることがなくなり、雌片の底部隅角部で抑片の円筒基部周囲の凹み内へ取付対象生地（取付生地）が押し込まれても、なだらかな曲面に沿い、取付対象生地に皺が形成されない効果を得ることができる。しかしながら、中央近傍のみで生地を曲面で挟着する構成であるため、取付対象生地を挟持する力が弱く、取付対象生地が不用意に引っ張られることで、装飾体（脚体）が回転して歪みやすい欠点があった。
【００１６】
次に、特許文献４に係る発明は、上記構成によって、取付対象生地（可撓性シート）の厚みが大きいという条件の下で、周壁外周部の下面が取付対象生地で突き上げられても、環状溝があるため、突き上げの応力を環状溝で吸収して好適な弾性嵌合力を得ようとするものである。
しかしながら、合成樹脂製雌型部材は、常に弾性変形を許容するため、係着操作は行い難く、また、強い外力によって外れやすい欠点がある。
【００１７】
本発明は以上の事情に鑑みてなされたものであり、取付対象生地の不用意な引張りがなされた際にも、スナップホックの外れや、装飾体(脚体)の歪みや係合部の変形を生じず、生産効率の低下を招来せず、生地に皺を生じることもなく、係着作業性にも優れるスナップホックを提供することを、発明が解決しようとする課題とする。
【課題を解決するための手段】
【００１８】
スナップホック基体とカシメ脚体とを備えるスナップホックにおいて、
カシメ脚体は、円形基板の内面周縁に複数の先尖爪脚を備え、円形基板の内面中央には、前記先尖爪よりも嵩高い、先端の尖った中実若しくは中空のカシメ脚を備え、スナップホック基体は、雌雄いずれかの係合部の内側に、カシメ脚嵌合部を形成し、取付対象生地に対する固着状態において、カシメ脚の先端がカシメ脚嵌合部内で変形して、カシメ脚がカシメ脚嵌合部内から離脱不能となり、先尖爪が取付対象生地に食い込み、係合部はカシメ脚と接触しない構成となることを特徴とするスナップホックを、課題を解決するための手段とする。
【発明の効果】
【００１９】
本発明によれば、カシメ脚体は、円形基板の内面周縁に複数の先尖爪を備え、円形基板の内面中央には、前記先尖爪よりも嵩高い、先端が円錐形となる中実若しくは中空のカシメ脚を備えた構成とし、下穴を形成しなくても、容易に先端が円錐形のカシメ脚が生地を貫き、カシメ脚係合部に嵌合する。このため、下穴を開ける必要がなく、容易に取付けを行うことができる。
【００２０】
そして、複数の先尖爪は、カシメ脚としては機能せず、略垂直に取付対象生地に突き刺さり、スナップホックの回動を阻止する。また、取付対象生地が伸縮性を有するものであり、不慮に取付対象生地を引っ張ることがあっても、前記複数の先尖爪が取付対象生地を貫いて押えているため、カシメ脚の貫通によって形成された穴が大きく広がることがなく、不慮のスナップホックの外れを防止することができる。更に、上記先尖爪は、カシメ脚のような変形を伴わず取付対象生地に対して略垂直に突き刺さるので、取付対象生地に皺を形成しない点で優れている。
【００２１】
また、前記カシメ脚係合部に嵌合したカシメ脚の先端は潰れて、カシメ脚係合部から離脱不能となり、強固にスナップホックを取付対象生地に取付けることができる。ここで、スナップホック基体は、係合部の内側に、カシメ脚嵌合部を形成しているため、カシメ脚嵌合部が仮に歪みを生じたとしても、係合部は、カシメ脚嵌合部とは別個独立しているため、スナップホックの係合に狂いを生じることがない。
【００２２】
そして、本発明の構成は、スナップホックの雄体、雌体の両方に適用することができるため、スナップボタンの装着対象物夫々に適した用途に利用することができる。スナップホックの雄体と雌体の双方に本発明の構成を適用することで、例えば、袋物やフード等の開口部の係脱手段とすることができる。
【００２３】
また、特に、本発明の請求項２に係る発明のように、円形基板の外面に別個独立の装飾部材を備える構成とすると、複雑な構成のカシメ脚体に直接装飾を形成する必要がなく、装飾品質の向上を容易とすることができる。
【００２４】
更に、本発明の請求項５に係る発明のように、スナップホックを構成し、係合部を有するスナップホック基体において、係合部の内側にカシメ脚嵌合部を形成したスナップホック基体における前記係合部は、雌係合部として、外縁を内側へ巻き込み、平面視円周上の複数箇所に切込部を形成することによって、雌係合部のバネ弾性を向上させることができ、雌雄係合部相互の係脱操作をより一層良好とすることができる。
【００２５】
そして、当該構成に代えて、本発明の請求項６に係る発明のように、係合部は、雌係合部として、環状のバネを備えることによって、雌係合部のバネ弾性を向上させることができ、雌雄係合部相互の係着力を向上させることができる。また、離脱時には雄係合部の引抜き操作によって環状のバネは外方へ膨らむことで少しずつ係合が解除されるから、離脱操作も好適に行うことができ、これによって、好適な係脱操作を発揮することができる。
【発明を実施するための最良の形態】
【００２６】
本発明は、スナップホック基体とカシメ脚体とを備えるスナップホックにおいて、カシメ脚体は、円形基板の外面に別個独立の装飾部材を被冠し、前記円形基板の内面周縁には複数の先尖爪を備え、円形基板の内面中央には、前記先尖爪よりも嵩高い、先端が円錐形となる中実若しくは中空のカシメ脚を備え、スナップホック基体は、係合部の内側にカシメ脚嵌合部を形成したことによって、取付対象生地に対する固着状態で、先端が円錐形のカシメ脚が生地を貫き、カシメ脚の先端がカシメ脚嵌合部内で変形してカシメ脚がカシメ脚嵌合部内から離脱不能となり、先尖爪が取付対象生地に食い込むことからカシメ脚の貫通によって形成された穴が大きく広がることがなく不慮のスナップホックの外れを防止でき、係合部はカシメ脚と接触しないから、下穴を開ける必要がなく生産効率の低下を招来せず、係合部はカシメ脚嵌合部とは別個独立しているためスナップホックの係合に狂いを生じることがなく、雄スナップ、雌スナップを問わず適用することができるため、取付対象物に応じた種々の装飾性、利便性を発揮できるスナップホックを実現した。
【実施例】
【００２７】
（実施例１）
図１は本発明の実施例１の雄スナップホックと雌スナップホックの分解状態を示す正面図、図２は同実施例１の雄スナップホックと雌スナップホックの分解状態を示すＡ−Ａ断面図、図３は同実施例１に係るカシメ脚体の（ａ）正面図、（ｂ）平面図及び（ｃ）底面図、図４は同実施例１に係るカシメ脚体の（ａ）背面図、（ｂ）右側面図及び（ｃ）Ｂ−Ｂ断面図（左側面図は右側面図と対称につき省略）、図５は同実施例１に係る雌スナップホック基体の（ａ）平面図、（ｂ）正面図（背面図、右側面図、左側面図は正面図と同一につき省略）、（ｃ）底面図及び（ｄ）Ｃ−Ｃ断面図、図６は同実施例１に係る雄スナップホック基体の（ａ）平面図、（ｂ）正面図（背面図、右側面図、左側面図は正面図と同一につき省略）、（ｃ）底面図、（ｄ）Ｄ−Ｄ断面図、図７は同実施例１に係る雄スナップホック基体と雌スナップホック基体を夫々取付対象生地に取着した状態を示す断面図、図８は同実施例１に係る雄スナップホック基体と雌スナップホック基体を夫々取付対象生地に取着し、係合子相互を係着した状態を示す断面図である。
【００２８】
本発明の実施例１に係るスナップホックは真鍮製であり、基本構成は図１及び図２に示すように、雄スナップホック１ｂと雌スナップホック１ａからなる。これら一対の雌雄スナップホック１ａ、１ｂは、いずれも本発明の特徴となる構成を備えている。
【００２９】
先ず、実施例１に係る雄スナップホック１ｂについて説明する。本発明の実施例１に係る雄スナップホック１ｂは、図６に示す雄スナップホック基体１１ｂと、図３及び図４に示すカシメ脚体１０とからなる。
【００３０】
実施例１に係る雄スナップホック１ｂのカシメ脚体１０は、円形基板１０１の外面１００を曲面状とし、円形基板１０１の内面周縁に複数の先尖爪１０２を立設し、円形基板１０１の内面中央には、前記先尖爪１０２よりも嵩高い、先端が円錐形となる中実のカシメ脚１０３を立設した構成である。
【００３１】
また、実施例１における雄スナップホック１ｂの雄スナップホック基体１１ｂは、雌スナップホック１ａとの係脱手段となる係合部１１０（雄係合部１１０ｂ）と、該雄係合部１１０ｂの内側に、係合部１１０ｂよりも嵩の高く、且つ係合部１１０ｂとは別個独立したカシメ脚嵌合部１１１ｂを備えている。
前記雄係合部１１０ｂは、上端が拡径された円筒状の雄係合子である。一方前記カシメ脚嵌合部１１１ｂは、カシメ脚１０３が進入するための進入口１１２（１１２ｂ）を備えた閉塞空間１１４（１１４ｂ）を形成する。進入口１１２（１１２ｂ）近傍の幅寸法を、閉塞空間１１４（１１４ｂ）の内側幅寸法よりも小さく形成している。
【００３２】
雄スナップホック１ｂは、以上に示した構成のカシメ脚体１０と雄スナップホック基体１１ｂで、取付対象生地２を挟み込んで固着するものである。図８に示すように、固着に際しては、カシメ脚体１０の中実のカシメ脚１０３の尖った先端１０３ａが、先ず取付対象生地２を貫く。そして、カシメ脚体１０の中実のカシメ脚１０３の尖った先端１０３ａは、雄スナップホック基体１１ｂのカシメ脚嵌合部１１１ｂに嵌り込み、カシメ脚嵌合部１１１ｂ内で変形する。前記進入口１１２（１１２ｂ）近傍が狭幅となっており、カシメ脚１０３の先端が潰れることで、カシメ脚１０３がカシメ脚嵌合部１１１ｂ内から離脱不能となる。
【００３３】
また、カシメ脚体１０の中実のカシメ脚１０３の尖った先端１０３ａがカシメ脚嵌合部１１１ｂに嵌り込むのと同時に、先尖爪１０２は取付対象生地２に突き刺さって食い込む。
【００３４】
以上の構成によって、取付対象生地２に予め下穴を形成しなくても、容易に先端１０３ａの尖ったカシメ脚１０３が取付対象生地２を貫き、カシメ脚係合部１１１ｂに嵌合するため、容易にカシメ脚体付きスナップホックの取付けを行うことができる。
【００３５】
そして、カシメ脚１０３はカシメ脚嵌合部１１１ｂと嵌合するため、雄スナップホック１ｂの雄係合部１１０ｂはカシメ脚１０３と接触することがなく、雄係合部１１０ｂが変形する虞が全くない。従って、カシメ脚体付きスナップホックの係合に狂いを生じることがなく、品質の安定したカシメ脚体付きスナップホックを提供することができる。
【００３６】
更に、先尖爪１０２は取付対象生地２に突き刺さって食い込む構成となることで、取付対象生地２に大きな皺を生ずることがなく、カシメ脚体付きスナップホックの不用意な回動や、取付対象生地２の引張りによるスナップホックの外れを、確実に防止することができる。
【００３７】
本発明の実施例１に係る雌スナップホックは、図５に示す雌スナップホック基体１１ａと、カシメ脚体１０とからなる。このうち、カシメ脚体１０については、雄スナップホック１ｂを構成するものと共通部品（同一形状の部品）を使用している。
【００３８】
雌スナップホック基体１１ａは、雄スナップホック１ｂの雄係合部１１０ｂとの係脱手段となる係合部１１０（雌係合部１１０ａ）と、該雌係合部１１０ａの内側に、雌係合部１１０ａよりも嵩の低いカシメ脚嵌合部１１１ａを備えている。前記雌係合部１１０ａは、外縁を内側へ巻き込み、平面視円周上の六箇所に切込部１１５を形成してある。該切込部１１５を形成することによって、雌係合部１１０ａは径方向に拡縮可能となり、バネ弾性力を発揮する。一方前記カシメ脚嵌合部１１１ａは、カシメ脚１０３が進入するための進入口１１２（１１２ａ）を備えた閉塞空間１１４（１１４ａ）を形成する。進入口１１２（１１２ａ）近傍の幅寸法を、閉塞空間１１４（１１４ａ）の内側幅寸法よりも小さく形成している。
【００３９】
雌スナップホック１１ａについても、雄スナップホック１１ｂと同様に、取付対象生地２を挟み込んで固着するものである。同図８に示すように、固着に際しては、カシメ脚体１０の中実のカシメ脚１０３の尖った先端１０３ａが、先ず取付対象生地２を貫く。そして、カシメ脚体１０の中実のカシメ脚１０３の尖った先端１０３ａは、雌スナップホック基体１１ａのカシメ脚嵌合部１１１ａに嵌り込み、カシメ脚嵌合部１１１ａ内で変形する。前記進入口１１２（１１２ａ）近傍が狭幅となっており、カシメ脚１０３の先端が潰れることで、カシメ脚１０３がカシメ脚嵌合部１１１ａ内から離脱不能となる。
【００４０】
また、カシメ脚体１０の中実のカシメ脚１０３の尖った先端１０３ａがカシメ脚嵌合部１１１ａに嵌り込むのと同時に、先尖爪１０２は取付対象生地２に突き刺さって食い込む。
【００４１】
以上の構成によってなる実施例１に係る雄スナップホック１ｂと雌スナップホックは、相互の係合部によって係脱自在となる。本実施例のように、雄スナップホックと雌スナップホックの双方にカシメ脚体を形成することで、例えば、衣服の飾りボタンのみでなく、手提げかばんの上部開口部の係脱具等にも利用することができる。
【００４２】
尚、本実施例１におけるカシメ脚体の円形基板の外面は、固有のデザイン等を設けるものではなく前記したように曲面として形成しているが、外観体裁において装飾性を発揮することができる。
【００４３】
（実施例２）
次に本発明の実施例２に係るスナップホックを示す。図９は本発明の実施例２の雄スナップホックと雌スナップホックの分解状態を示す正面図、図１０は同実施例２の雄スナップホックと雌スナップホックの分解状態を示すＥ−Ｅ断面図、図１１は同実施例２に係るカシメ脚体の（ａ）平面図、（ｂ）正面図（背面図、右側面図、左側面図は正面図と同一につき省略）、（ｃ）底面図、及び（ｄ）Ｆ−Ｆ断面図、図１２は同実施例２に係る雄スナップホック基体と雌スナップホック基体を夫々取付対象生地に取着した状態を示す断面図、図１３は同実施例２に係る雄スナップホック基体と雌スナップホック基体を夫々取付対象生地に取着し、係合子相互を係着した状態を示す断面図である。
【００４４】
実施例２に係るスナップホックは、基本的に実施例１のスナップホックの構成と略一致するものであり、雄スナップホック基体１１ｂ、雌スナップホック基体１１ａは、実施例１と共通部品である。雄スナップホック基体１１ｂ、雌スナップホック基体１１ａの細部形状は前記図５及び図６を参照されたい。また、実施例２に係るカシメ脚体１０の構成は、実施例１のカシメ脚体１０と細部において相違するものである。
【００４５】
本発明の実施例２に係る雌スナップホック１ａ及び雄スナップホック１ｂの双方に夫々使用するカシメ脚体１０は、図１１に正面図を示すように、別個独立した装飾部材１２を設けている。そして、先端が尖ったカシメ脚を、中実ではなく、中空として形成している。またカシメ脚１０３の円錐形の傾斜面をやや膨らんだ形状としている。
【００４６】
上記実施例２のように、円形基板の外面に、別個独立した装飾部材１２を被冠したことによって、装飾部材１２には高度な装飾を容易に形成することができ、スナップホックの品質を向上させることができる。そして、カシメ脚を中空とすることで、より変形に要する加圧力を低減させることができ、作業安全性及び効率性を向上させることができる。
【００４７】
また、カシメ脚１０３の形状を円錐形の傾斜をやや湾曲させた形状とすることによって、カシメ脚１０３の強度を向上させ、カシメ後の形状をより均一なものとすることができる。
【００４８】
（実施例３）
次に、本発明の実施例３に係るスナップホックを示す。図１４は本発明の実施例３に係る雌スナップホック１ａと雄スナップホック１ｂの分解状態を示す正面図、図１５は同実施例３に係る雌スナップホック１ａと雄スナップホック１ｂの分解状態を示すＧ−Ｇ断面図、図１６は同実施例３に係る雌スナップホック基体の（ａ）平面図、（ｂ）正面図（背面図、右側面図、左側面図は正面図と同一につき省略）、（ｃ）底面図、（ｄ）Ｈ−Ｈ断面図、図１７は同実施例３に係る雄スナップホック基体の（ａ）平面図、（ｂ）正面図、（ｃ）底面図、（ｄ）Ｉ−Ｉ断面図、図１８は同実施例３に係る雄スナップホック基体の（ａ）平面図、（ｂ）正面図、（ｃ）底面図、（ｄ）Ｊ−Ｊ断面図、図１９は同実施例３に係る雄スナップホック基体と雌スナップホック基体を夫々取付対象生地に取着した状態を示す断面図、図２０は同実施例３に係る雄スナップホック基体と雌スナップホック基体を夫々取付対象生地に取着し、係合子相互を係着した状態を示す断面図である。
【００４９】
本発明の実施例３に係る発明は、実施例１及び実施例２と略同様の構成を有するものであるが、図１４乃至図２０に示すように、各部に形状の微差を有する。
【００５０】
雄係合部は実施例１及び実施例２と比較して長く形成してある。また、実施例３に係る発明の構成中、雌スナップホック１ａの雌スナップホック基体１１ｂは、内部の雌係合部に環状のバネ１１３を備えている。
【００５１】
当該環状のバネ１１３を設けることによって、雄係合部と雌係合部の係合時には、雄系合部の周縁に対して前記環状のバネ１１３が弾性によって押圧するため、十分な係着力を得ることができる。
【００５２】
以上のように、本発明によれば、スナップホックのカシメ脚体の有する先端が尖ったカシメ脚と、その周囲に、取付対象生地へ食い込む複数の先尖爪を備え、スナップホック基体が係合部とは別にカシメ脚を嵌合するカシメ脚嵌合部を備えることによって、取付対象生地に対する固着状態で、先端が円錐形のカシメ脚が生地を貫き、カシメ脚の先端がカシメ脚嵌合部内で変形してカシメ脚がカシメ脚嵌合部内から離脱不能となり、先尖爪が取付対象生地に食い込むことからカシメ脚の貫通によって形成された穴が大きく広がることがなく、生地に皺が生じることもなく、不慮のスナップホックの外れを防止できる。
【００５３】
そして、係合部はカシメ脚と接触しない構成としたから、下穴を開ける必要がなく生産効率の低下を招来せず、係合部はカシメ脚嵌合部とは別個独立しているためスナップホックの係合に狂いを生じることがなく、雄スナップ、雌スナップを問わず適用できる非常に優れたスナップホックを提供することができるのである。
【図面の簡単な説明】
【００５４】
【図１】本発明の実施例１の雄スナップホックと雌スナップホックの分解状態を示す正面図である。
【図２】本発明の実施例１の雄スナップホックと雌スナップホックの分解状態を示すＡ−Ａ断面図である。
【図３】本発明の実施例１に係るカシメ脚体の（ａ）正面図、（ｂ）平面図及び（ｃ）底面図である。
【図４】本発明の実施例１に係るカシメ脚体の（ａ）背面図、（ｂ）右側面図及び（ｃ）Ｂ−Ｂ断面図（左側面図は右側面図と対称につき省略）である。
【図５】本発明の実施例１に係る雌スナップホック基体の（ａ）平面図、（ｂ）正面図、（ｃ）底面図及び（ｄ）Ｃ−Ｃ断面図である。
【図６】本発明の実施例１に係る雄スナップホック基体の（ａ）平面図、（ｂ）正面図（背面図、右側面図、左側面図は正面図と同一につき省略）、（ｃ）底面図、（ｄ）Ｄ−Ｄ断面図である。
【図７】本発明の実施例１に係る雄スナップホック基体と雌スナップホック基体を夫々取付対象生地に取着した状態を示す断面図である。
【図８】本発明の実施例１に係る雄スナップホック基体と雌スナップホック基体を夫々取付対象生地に取着し、係合子相互を係着した状態を示す断面図である。
【図９】本発明の実施例２の雄スナップホックと雌スナップホックの分解状態を示す正面図である。
【図１０】本発明の実施例２の雄スナップホックと雌スナップホックの分解状態を示すＥ−Ｅ断面図である。
【図１１】本発明の実施例２に係るカシメ脚体の（ａ）平面図、（ｂ）正面図（背面図、右側面図、左側面図は正面図と同一につき省略）、（ｃ）底面図、及び（ｄ）Ｆ−Ｆ断面図である。
【図１２】本発明の実施例２に係る雄スナップホック基体と雌スナップホック基体を夫々取付対象生地に取着した状態を示す断面図である。
【図１３】本発明の実施例２に係る雄スナップホック基体と雌スナップホック基体を夫々取付対象生地に取着し、係合子相互を係着した状態を示す断面図である。
【図１４】本発明の実施例３に係る雌スナップホック１ａと雄スナップホック１ｂの分解状態を示す正面図である。
【図１５】本発明の実施例３に係る雌スナップホック１ａと雄スナップホック１ｂの分解状態を示すＧ−Ｇ断面図である。
【図１６】本発明の実施例３に係る雌スナップホック基体の（ａ）平面図、（ｂ）正面図（背面図、右側面図、左側面図は正面図と同一につき省略）、（ｃ）底面図、（ｄ）Ｈ−Ｈ断面図である。
【図１７】本発明の実施例３に係る雄スナップホック基体の（ａ）平面図、（ｂ）正面図、（ｃ）底面図、（ｄ）Ｉ−Ｉ断面図である。
【図１８】本発明の実施例３に係る雄スナップホック基体の（ａ）平面図、（ｂ）正面図、（ｃ）底面図、（ｄ）Ｊ−Ｊ断面図である。
【図１９】本発明の実施例３に係る雄スナップホック基体と雌スナップホック基体を夫々取付対象生地に取着した状態を示す断面図である。
【図２０】本発明の実施例３に係る雄スナップホック基体と雌スナップホック基体を夫々取付対象生地に取着し、係合子相互を係着した状態を示す断面図である。
【符号の説明】
【００５５】
１        スナップホック
１ａ      雌スナップホック
１ｂ      雄スナップホック
１０      カシメ脚体
１００    外面
１０１    円形基板
１０２    先尖爪
１０３    カシメ脚
１０３ａ  先端
１１      スナップホック基体
１１ａ    雌スナップホック基体
１１ｂ    雄スナップホック基体
１１０    係合部
１１０ａ  雌係合部
１１０ｂ  雄係合部
１１１    カシメ脚嵌合部
１１１ａ  カシメ脚嵌合部
１１１ｂ  カシメ脚嵌合部
１１２    進入口
１１２ａ  進入口
１１２ｂ  進入口
１１３    環状のバネ
１１４    閉塞空間
１１４ａ  閉塞空間
１１４ｂ  閉塞空間
１１５    切込部
１２      装飾部材
２        取付対象生地
【図１】
2007260321.tif 000003
【図２】
2007260321.tif 000004
【図３】
2007260321.tif 000005
【図４】
2007260321.tif 000006
【図５】
2007260321.tif 000007
【図６】
2007260321.tif 000008
【図７】
2007260321.tif 000009
【図８】
2007260321.tif 000010
【図９】
2007260321.tif 000011
【図１０】
2007260321.tif 000012
【図１１】
2007260321.tif 000013
【図１２】
2007260321.tif 000014
【図１３】
2007260321.tif 000015
【図１４】
2007260321.tif 000016
【図１５】
2007260321.tif 000017
【図１６】
2007260321.tif 000018
【図１７】
2007260321.tif 000019
【図１８】
2007260321.tif 000020
【図１９】
2007260321.tif 000021
【図２０】
2007260321.tif 000022